(57)【要約】      （修正有）【課題】吸引掃除機の吸引ノズルを提供する。【解決手段】吸引チャネル端部４、５が、吸引口６に開口する複数のフロー開口７、８、９、１０、１１、１２を有し、吸引口６からフロー開口７、１０を通って吸引チャネル端部４、５に流入する第１のフロー部分が、吸引チャネル端部４、５内において吸引チャネル端部４、５の第２のフロー開口８、９、１１、１２を追い越して流れるように、複数のフロー開口がカスケード状に接続されており、その第１のフロー部分と、第２のフロー開口８、９、１１、１２を通って吸引チャネル端部４、５に流入する第２のフロー部分とが合流される。吸引ノズル１の構造的条件に依存しない掃除能力の均等な分配を実現するために、吸引チャネルが偏心的に吸引口６に接続されかつ一方の側にて吸引口６の端部に割り当てられ、吸引チャネル端部４、５が、吸引口６に対する吸引チャネルの非対称接続を可能とする。【選択図】図３
2019042512.tif 000002
【特許請求の範囲】
【請求項１】
吸引掃除機（２）の吸引ノズル（１）であって、前記吸引ノズル（１）が吸引掃除機（２）のファンと接続するための吸引チャネル（３）を有し、前記吸引チャネル（３）の吸引チャネル端部（４，５）が吸引口（６）に開口し、前記吸引チャネル端部（４，５）が前記吸引口（６）に開口する複数のフロー開口（７，８，９，１０，１１，１２）を有し、それらのフロー開口は、前記吸引口（６）から第１のフロー開口（７，１０）を通って前記吸引チャネル端部（４，５）に流入する第１のフロー部分が、前記吸引チャネル端部（４，５）内で前記吸引チャネル端部（４，５）の第２のフロー開口（８，９，１１，１２）を追い越して流れるようにカスケード状に接続され、前記第１のフロー部分と前記第２のフロー開口（８，９，１１，１２）を通って前記吸引チャネル端部（４，５）に流入する第２のフロー部分とが合流する、前記吸引ノズル（１）において、
前記吸引チャネル（３）が、偏心的に前記吸引口（６）に接続されかつ一方の側にて前記吸引口（６）の端部に割り当てられ、前記吸引チャネル端部（４，５）が前記吸引チャネル（３）の前記吸引口（６）に対する非対称な接続を可能とすることを特徴とする吸引ノズル。
【請求項２】
前記吸引チャネル端部（４，５）が長尺形状を有し、前記複数のフロー開口（７，８，９，１０，１１，１２）が、前記吸引口（６）の長手方向において互いに前後して吸引口（６）に開口していることを特徴とする請求項１に記載の吸引ノズル。
【請求項３】
前記複数のフロー開口（７，８，９，１０，１１，１２）が、異なる大きさ及び／又は異なる形状の断面をもつ開口面を有することを特徴とする請求項１又は２に記載の吸引ノズル。
【請求項４】
前記フロー開口（７，８，９，１０，１１，１２）が、ノズル（１３）の一部であることを特徴とする請求項１〜３のいずれかに記載の吸引ノズル。
【請求項５】
複数の前記ノズル（１３）が、前記吸引チャネル端部（４，５）と前記吸引口（６）との間で異なる長さの流路を提供することを特徴とする請求項４に記載の吸引ノズル。
【請求項６】
前記吸引チャネル端部（４，５）がその長手方向においてフロー方向とは反対向きに先細となることを特徴とする請求項１〜５のいずれかに記載の吸引ノズル。
【請求項７】
前記吸引チャネル（３）が２つの流体的に平行に接続された吸引チャネル端部（４，５）を有し、それらの長手方向が互いに平行に向いていることを特徴とする請求項１〜６のいずれかに記載の吸引ノズル。
【請求項８】
前記吸引チャネル端部（４，５）が、２個〜１０個の、特に３個〜５個のフロー開口（７，８，９，１０，１１，１２）を有することを特徴とする請求項１〜７のいずれかに記載の吸引ノズル。
【請求項９】
フロー開口（７，８，９，１０，１１，１２）により生じる圧力損失が、前記吸引チャネル端部（４，５）の内部の圧力損失の少なくとも５倍、特に少なくとも１０倍大きいことを特徴とする請求項１〜８のいずれかに記載の吸引ノズル。
【請求項１０】
吸引ノズル（１）、特に請求項１〜９のいずれかに記載の吸引ノズル（１）を備えた吸引掃除機（２）であって、前記吸引ノズル（１）が吸引掃除機（２）のファンへのフロー接続を形成する吸引チャネル（３）を有し、前記吸引チャネル（３）の吸引チャネル端部（４，５）が吸引口（６）に開口し、前記吸引チャネル端部（４，５）が前記吸引口（６）に開口する複数のフロー開口（７，８，９，１０，１１，１２）を有し、それらのフロー開口は、前記吸引口（６）から第１のフロー開口（７，１０）を通って前記吸引チャネル端部（４，５）に流入する第１のフロー部分が、前記吸引チャネル端部（４，５）内で前記吸引チャネル端部（４，５）の第２のフロー開口（８，９，１１，１２）を追い越して流れるようにカスケード状に接続され、前記第１のフロー部分と前記第２のフロー開口（８，９，１１，１２）を通って前記吸引チャネル端部（４，５）に流入する第２のフロー部分とが合流する、前記吸引掃除機（２）において、
前記吸引チャネル（３）が、偏心的に前記吸引口（６）に接続されかつ一方の側にて前記吸引口（６）の端部に割り当てられ、前記吸引チャネル端部（４，５）が前記吸引チャネル（３）の前記吸引口（６）に対する非対称な接続を可能とすることを特徴とする吸引掃除機。
【発明の詳細な説明】
【技術分野】
【０００１】
本発明は、吸引掃除機の吸引ノズルに関し、吸引ノズルが掃除機のファンと接続するための吸引チャネルを有し、吸引チャネルの吸引チャネル端部が吸引口に開口し、吸引チャネル端部が、吸引口に開口する複数のフロー開口を有し、吸引口から第１のフロー開口を通って吸引チャネル端部に流入する第１のフロー部分が吸引チャネル端部内で吸引チャネル端部の第２のフロー開口を追い越して流れるように、複数のフロー開口がカスケード状に接続されており、第１のフロー部分と、第２のフロー開口を通って吸引チャネル端部に流入する第２のフロー部分とが合流する。
【０００２】
さらに本発明は、吸引ノズルを備えた吸引掃除機に関し、吸引ノズルが、ファンへのフー接続を形成する吸引チャネルを有し、吸引チャネルの吸引チャネル端部が吸引口に開口し、吸引チャネル端部が吸引口に開口する複数のフロー開口を有し、吸引口から第１のフロー開口を通って吸引チャネル端部に流入する第１のフロー部分が、吸引チャネル端部内で吸引チャネル端部の第２のフロー開口を追い越して流れるように、複数のフロー開口がカスケード状に接続されており、第１のフロー部分と、第２のフロー開口を通って吸引チャネル端部に流入する第２のフロー部分とが合流する。
【背景技術】
【０００３】
上述したタイプの吸引ノズル及び吸引掃除機は、従来公知の技術である。
【０００４】
吸引ノズルは、例えば、アタッチメントの態様で構成され、吸引掃除機のベース装置と着脱可能に接続されることができる。それに替えて、吸引ノズルは、吸引掃除機と一体に構成されることもできる。吸引ノズルは、吸引チャネルを有し、それは一方では吸引掃除機のファンへフロー接続されており、他方では吸引口に開口している。ファンの動作中、掃除対象表面が吸引口を介して負圧に曝されることによって、表面上に存在する埃及び／又は塵を吸引チャネルを通して集塵容器の方に運ぶことができる。このような解決手段は、特許文献１に開示されている。
【先行技術文献】
【特許文献】
【０００５】
【特許文献１】米国特許出願公開第2008/0209671号公報
【発明の概要】
【発明が解決しようとする課題】
【０００６】
上述した従来技術を基に、本発明の目的は、吸引ノズルの構造的条件に依存することなく吸引口に沿って均等な吸引空気強さを有することによって吸引ノズルがその幅全体に亘って最適な掃除結果を得られる吸引ノズルを提供することである。
【課題を解決するための手段】
【０００７】
上述した目的を達成するために、吸引チャネルが吸引口に対して偏心的に接続され、かつ一方の側にて吸引口の端部に割り当てられており、吸引チャネル端部が吸引口に対する吸引チャネルの非対称接続を可能とすることが提示される。
【０００８】
吸引口は、複数のフロー開口を介して吸引チャネル端部と接続されている。フロー開口は、吸引口の長手方向において好適には互いに前後して吸引口に開口することによって、複数のフロー部分が別々に吸引チャネル端部に流入しかつその中でカスケード態様で合流することとなる。従って、従来技術とは異なり、空気は１つのフロー開口のみを通って吸引チャネル端部に流入しない。逆に、吸引空気が複数のフロー部分に分離して、異なる流路で吸引口から吸引チャネル端部に到達する。複数のフロー開口を吸引チャネル端部に配置し形成することによって、吸引口に沿って均一な吸引空気強さを実現することができる。従って、吸引チャネル端部の内部において、吸引チャネルに対して最も遠いフロー開口を通って流入するフロー部分が他のフロー開口を追い越して流れ、それらの他のフロー開口は、最も遠いフロー開口とファンの方向に繋がる吸引チャネルとの間の吸引チャネル端部に形成されている。従って、吸引口に沿って吸引チャネル端部は、回収チャネルの態様で形成されており、それはファンに繋がる吸引チャネルと吸引口との間に介在するものとして用いられる。吸引チャネル端部の内部のフロー断面を含め、フロー開口の数、配置及び大きさによって、各フロー開口における吸引空気流の強さが別々に影響を受け得る。このように形成された吸引チャネル端部は、吸引チャネルの吸引口に対する非対称の接続を可能とし、それにより、吸引ノズルの幾何学的設計及び利用可能な空間に関して、より大きなフレキシビリティが与えられる。
【０００９】
特に、吸引口と吸引チャネルとの間に配置された吸引チャネル端部は、吸引口に沿って平行に配置されることができる。吸引チャネル端部は、基本的に、いずれの点においても吸引チャネルに移行することができる。好適には、吸引チャネル端部の一端側で吸引チャネルに接続されることが提示され、その場合、吸引チャネル端部は吸引チャネルの一端側の延長部といえる。吸引チャネル端部が、吸引チャネルとは別個に形成された要素である場合、吸引チャネルは、例えば吸引チャネル端部との着脱可能な接続のための接続領域を有する。吸引チャネル端部は、流体的に、複数のフロー開口により吸引口と接続されており、好適には、吸引口の縁領域においても吸引空気強さが最適となるように複数のフロー開口が配置されている。
【００１０】
さらに、吸引チャネル端部が長尺形状を有し、フロー開口が、吸引口の長手方向において互いに前後して吸引口に開口することが提示される。好適には、フロー開口の開口面の面法線が、吸引チャネル端部の長手方向に垂直に向くことができる。吸引掃除機の吸引ノズルは、通常、吸引掃除機又は吸引ノズルの主な移動方向に対してその長手方向が垂直に向いている長尺形状の吸引口を有するので、吸引口に開口する吸引チャネル端部もまた長尺形状を有することが推奨される。吸引チャネル端部を吸引口と接続するフロー開口は、開口面の面法線がそれぞれ吸引チャネル端部の長手方向に垂直であるように向けられる。好ましい実施形態によれば、吸引チャネル端部が、掃除動作中の通常の吸引ノズルの向きにおいて、吸引口の上方に配置され、特にそれに対して平行に配置される。
【００１１】
さらに、複数のフロー開口が、異なる大きさ及び／又は異なる形状の断面をもつ開口面を有することが提示される。複数のフロー開口の大きさ及び形状により、各フロー開口における吸引空気流の強さを別々に設定することができる。その場合、各フロー開口の大きさは、吸引チャネル端部の内部で想定される圧力損失に応じて異なる。特に、複数のフロー開口は、吸引口の内部の吸引空気強さの均一な分布を確保するように構成されなければならない。
【００１２】
好適な実施形態では、フロー開口がノズルの一部であることが提示される。この実施形態によれば、吸引チャネル端部が、複数のノズルを介して吸引口と接続されることによって、流れの速度及び／又は方向が、断面の大きさのような他の要因の中でとりわけノズルの形状及び大きさによっても決定される。ノズルの形状及び大きさは、吸引口における均一な吸引空気強さを実現するために実際に変更することができる。
【００１３】
これに関係して、複数のノズルが、吸引チャネル端部と吸引口との間の異なる長さの流路を形成することを提示できる。従って、複数のノズルは、互いに異なる長さで構成することができる。それにより、それぞれのノズル又はフロー開口において生じる圧力損失を、同様に個別に設定することができる。
【００１４】
さらに、吸引チャネル端部が、フロー方向とは反対向きの長手方向において先細となっていることが推奨される。この実施形態によれば、吸引チャネル端部が、その長手方向に沿って連続的に小さくなっていくフロー断面を有することによって、吸引チャネル端部が、ファンから最も遠いフロー開口へと小さくなっていく。このようにして、フロー開口の各々の流入流路は、カスケード状に配置される。
【００１５】
特定の実施形態によれば、吸引チャネルが、流体的に平行に接続された２つの吸引チャネル端部を有することが提示される。特に、２つの吸引チャネル端部の長手方向が互いに平行に向くことができる。この実施形態によれば、２つの吸引チャネル端部の各々が、別々の吸引口に開口することが好適である。これらの吸引チャネル端部は、吸引ノズルのハウジング内で互いに離間して配置することができる。吸引ノズルは、例えば、掃除動作中の吸引ノズルの通常の前方移動において先行する第１の吸引口と、反対の逆方向への移動において先行する第２の吸引口とを有することができる。従って、吸引ノズルは２つの反対方向において同等の最適な掃除結果を得ることができる。
【００１６】
さらに、吸引チャネル端部が２個〜１０個の、特に３個〜５個のフロー開口を有することが提示される。より多くのフロー開口を吸引チャネル端部に形成するほど、吸引口における吸引空気強さを細かく設定することができる。より多くのフロー開口を設けるほど、吸引口は長くなる。
【００１７】
最後に、フロー開口により生じる圧力損失を、吸引チャネル端部内の圧力損失の少なくとも５倍、特に少なくとも１０倍の大きさとすることができる。全てのフロー開口における均一な流量を実現するために、フロー開口の断面の所定の大きさ及び吸引チャネル端部の内部のフロー断面の所定の大きさが必要である。その場合、吸引チャネル端部の内部のフロー断面は、主なフロー方向に対して実質的に垂直な断面である。フロー断面を設計するために、吸引チャネル端部の圧力損失を、各フロー開口を通る圧力損失よりも少なくとも５倍小さく、しかしながらより好適には１０倍小さくすることが推奨される。言い換えると、フロー開口は、吸引口における吸引空気強さの均一な分布を確保するために、少なくとも５倍、特に好適には少なくとも１０倍の大きな圧力損失を生じなければならない。
上述した吸引ノズルに加え、本発明によりさらに、吸引ノズルを備えた、特に上述した吸引ノズルを備えた吸引掃除機が提示される。その場合、吸引ノズルは、ファンへのフロー接続を形成する吸引チャネルを有し、吸引チャネルの吸引チャネル端部が吸引口に開口しており、吸引チャネル端部が、吸引口に開口する複数のフロー開口を有し、複数のフロー開口は、吸引口からフロー開口を通って吸引チャネル端部に流入する第１のフロー部分が吸引チャネル端部の内部で吸引チャネル端部の第２のフロー開口を追い越して流れるようにカスケード状に接続されており、第１のフロー部分と、第２のフロー開口を通って吸引チャネル端部に流入する第２のフロー部分とが合流し、そして、吸引チャネルが吸引口に偏心的に接続されかつ一方の側にて吸引口の端部に割り当てられており、吸引チャネル端部が吸引口に対する吸引チャネルの非対称接続を可能としている。
【００１８】
本発明による吸引掃除機は、例えば、吸引掃除専用の装置とすることもでき、又はそれに替えて、組合せられた吸引拭き掃除又はその他の吸引機能を備えた掃除機とすることができる。吸引ノズルは、吸引掃除機のベース装置に対して着脱可能に配置可能であり、又は、吸引掃除機の固定部分とすることもできる。本発明の吸引掃除機の吸引ノズルは、好適には、上述した特徴の１又は複数を備えて構成されている。その結果として得られる利点は本発明による吸引掃除機にも同様に適用される。
【図面の簡単な説明】
【００１９】
【図１】図１は、本発明による吸引ノズルを備えた吸引掃除機である。
【図２】図２は、吸引ノズルを備えた吸引掃除機の部分領域を示す。
【図３】図３は、吸引ノズルの概略平面図である。
【図４】図４は、吸引ノズルの展開図である。
【図５】図５は、図３に示した吸引ノズルの部分領域を示す。
【図６】図６は、図３に示した吸引チャネル端部を別の向きから見た部分領域斜視図である。
【図７】図７は、図３に示した吸引チャネル端部の部分領域の底面図である。
【発明を実施するための形態】
【００２０】
以下、実施例を示した図面を参照して、本発明をさらに詳細に説明する。
図１は、ここではベース装置１４及び吸引ノズル１を備えた手動移動式装置として構成された吸引掃除機２を示す。吸引ノズル１は、アタッチメントのようにベースステーション１４に着脱可能に配置されている。ベースステーション１４は、入れ子式に伸縮可能に構成された柄１６を有することによって、吸引掃除機２のユーザが柄１６の長さを自身の体格に合わせることができる。柄１６上にはさらに持ち手１７が配置され、通常の作業動作中、ユーザはそれにより吸引掃除機を動かすことができ、すなわち、掃除対象面上でスライドさせることができる。作業動作中、ユーザは通常、吸引掃除機２を掃除対象表面上で互いに反対向きの移動方向に動かす。その際、ユーザは、吸引掃除機２を交互に自分から押しやったり自分に引き寄せたりする。持ち手１７上にはスイッチ１８が配置され、それは例えば吸引掃除機２のモータファンユニットのモータのオンオフに用いられる。
【００２１】
吸引ノズル１は、接続領域２０を備えたハウジング１９を有し、ハウジング１９に吸引掃除機２のベース装置１４を接続することができる。ハウジング１９内には、吸引掃除機２のモータファンユニットへのフロー接続を提供する吸引チャネル３が設けられている。吸引チャネル３は、ここでは例えば２つの吸引チャネル端部４、５を有し、その各々に吸引口６が接続されている。図１に示されたハウジング１９の前部は、吸引口６の領域に密閉要素として例えば剛毛片１５を有する。
【００２２】
図２は、吸引ノズル１の正面図を示す。図中の前方にてハウジング１９に配置された吸引チャネル端部４は、ここでは例えば全部で３つの吸引開口７、８、９を有し、それらは吸引チャネル端部４を吸引口６と流体的に接続している。吸引開口７、８、９はそれぞれノズル１３の一部であり、ノズル１３は、吸引口６と吸引チャネル端部４を離隔している。ここでノズル１３は、例えば、ノズル１３を通って流れるフロー部分のために異なる長さの流路を提供する。それに替えて、ノズル１３を同じ長さで設けることもできる。
【００２３】
図３は、図２の吸引ノズルにおけるラインIIIに沿った断面図を示す。吸引ノズル１は、互いに平行に向いた２つの吸引チャネル端部４、５を有し、それらは吸引チャネル３上の共通の接続領域２１を介して接続されている。吸引チャネル端部４、５はそれぞれ、各々に設けられた吸引口６に対する分配チャネルを形成する。その場合、フロー開口７、８、９を介して吸引チャネル端部４とそれに設けられた吸引口６との間にフロー接続が存在し、そしてフロー開口１０、１１、１２を介して吸引チャネル端部５とそれに設けられた吸引口６との間にフロー接続が存在する。フロー開口７、８、９又は１０、１１、１２は、互いに異なる大きさの断面を有し、吸引チャネル端部４、５の各々の中央に配置されたフロー開口８又は１１が、他のフロー開口７、９又は１０、１２よりも大きな断面積を有する。第２の吸引チャネル端部５のフロー開口１０、１１、１２は、第１の吸引チャネル端部４のフロー開口７、８、９と同様の大きさとされるか、又は、異なる大きさとされる。フロー開口７、８、９、１０、１１、１２の断面積はここでは例えば以下の大きさを有する。
フロー開口７：  １９１ｍｍ２
フロー開口８：  ３５９ｍｍ２
フロー開口９：  １７９ｍｍ２
フロー開口１０：  １８０．５ｍｍ２
フロー開口１１：  ３５９ｍｍ２
フロー開口１２：  １６３．５ｍｍ２
【００２４】
図４は、吸引ノズル１の概略展開図を示す。吸引ノズル１は、下部及び上部のハウジング部分領域と、それらの間に位置し各々吸引口６を備えた吸引チャネル端部４、５とを有する。吸引チャネル端部４、５は、吸引チャネル３に接続するために用いられる共通の接続領域２１で互いに接続されている。
【００２５】
図５及び図６は、吸引チャネル端部４、５の２つの異なる斜視図を示し、図５は、第１の吸引チャネル端部４を示し、図６は第２の吸引チャネル端部５を示している。吸引チャネル端部４、５は、各々の長手方向に沿って異なる形状を有しており、吸引チャネル端部４、５を通って流れるフロー部分を形成する異なる大きさの端部断面２２〜３０を有する。接続領域２１から各吸引チャネル端部４、５における最も遠いフロー開口７、１０まで、端部断面２６〜２２又は２７〜３０がそれぞれ、次第に小さくなっていく面積を有する。ここでは、端部断面２２〜３０が例えば以下の大きさを有する。
端部断面２２：１６２．５ｍｍ２
端部断面２３：４４８．５ｍｍ２
端部断面２４：４４８．５ｍｍ２
端部断面２５：５７９ｍｍ２
端部断面２６：６０８ｍｍ２
端部断面２７：８１４．５ｍｍ２
端部断面２８  ５４７．５ｍｍ２
端部断面２９：４１０．５ｍｍ２
端部断面３０：２０７ｍｍ２
【００２６】
吸引チャネル端部４、５における圧力損失とフロー開口７、８、９及び１０、１１、１２における圧力損失との比は、ここでは約１：５である。その場合、フロー開口７〜９の圧力損失が約７００Ｐａであり、吸引チャネル端部４、５の圧力損失が約１５０Ｐａであり、流量は１６リットル／ｓであり、３つのフロー開口７、８、９及びフロー開口１０、１１、１２に分配される。従って、フロー開口７〜１２は、吸引チャネル端部４、５における圧力損失よりも約５倍の大きさの圧力損失を有する。この構成により、吸引チャネル端部４、５が単に端部側にて吸引口６に接続されている場合よりも、吸引口６の内部において吸引口６全体に亘ってより均一に分布する吸引空気強さを可能とする。
【００２７】
最後に図７は、図５で上述したフロー開口７、８、９を有する吸引チャネル端部４の底面図である。
【００２８】
本発明による吸引チャネル端部４、５の構成により、接続領域２１と各吸引口６に向いた複数のフロー開口７〜９又は１０〜１２との間の分配チャネルとして、吸引口６において均一な吸引空気強さを実現することができる。接続領域２１から最も遠いフロー開口７及び１０からそれぞれ吸引チャネル端部４及び５に流れるフロー部分が、隣接するフロー開口８、９及び１１、１２を追い越して流れるように、吸引口６を通して吸引される空気がフロー開口７〜９及び１０〜１２を通り吸引チャネル端部４及び５に吸引されることによって、カスケード状の流路が接続領域２１の方向に形成される。最も離れたフロー開口７、１０の方向に先細となる形状の吸引チャネル端部４、５と端部断面２２〜３０及びフロー開口７〜１２の大きさとの組合せにおいて、吸引チャネル端部４、５の個別の設計を可能とすることによって、利用可能な構造空間のための吸引ノズル１のハウジング１９の形状及び大きさに応じて吸引口６における吸引空気強さの均一性を実現することができる。
【符号の説明】
【００２９】
１  吸引ノズル
２  吸引掃除機
３  吸引チャネル
４、５  吸引チャネル端部
６  吸引口
７、８、９、１０、１１、１２  フロー開口
１３  ノズル
１４  ベース装置
１５  剛毛片
１６  柄
１７  持ち手
１８  スイッチ
１９  ハウジング
２０  接続領域
２１  接続領域
２２、２３、２４、２５、２６、２７、２８、２９、３０  端部断面
【図１】
2019042512.tif 000003
【図２】
2019042512.tif 000004
【図３】
2019042512.tif 000005
【図４】
2019042512.tif 000006
【図５】
2019042512.tif 000007
【図６】
2019042512.tif 000008
【図７】
2019042512.tif 000009